(57)【要約】【課題】前の座席の背もたれが傾けられた状態で、視聴者の座席の背もたれを傾けると、視認方向と画像表示パネルの表示方向との差異が大きくなり、画像表示パネルの視聴が困難になる。【解決手段】少なくとも前後方向に配列された背もたれ角度の変更が可能な複数の座席２、３と、座席２、３の背面に設置された画像表示パネル２５、３５と、座席２、３の背もたれ角度を検出する角度検出手段と、前後方向に隣接する２つの座席２、３に係る角度検出手段の出力情報に基づき画像表示パネル２５、３５のチルト角を算出するチルト角算出手段と、チルト角算出手段の出力情報に基づき、画像表示パネル２５、３５のチルト角を制御するチルト制御手段とを備える。【選択図】図１
2008279155.tif 000002
【特許請求の範囲】
【請求項１】
少なくとも前後方向に配列された背もたれ角度の変更が可能な複数の座席と、
前記座席の背面に設置された画像表示パネルと、
前記座席の背もたれ角度を検出する角度検出手段と、
前記前後方向に隣接する２つの座席に係る前記角度検出手段の出力情報に基づき前記画像表示パネルのチルト角を算出するチルト角算出手段と、
前記チルト角算出手段の出力情報に基づき、前記画像表示パネルのチルト角を制御するチルト制御手段とを備えたことを特徴とする画像表示装置。
【請求項２】
前記角度検出手段、前記チルト角算出手段および前記チルト制御手段の少なくともいずれかに係る機能の一部または全部を、複数の画像表示パネルに対応可能に構成することを特徴とする請求項１に記載の画像表示装置。
【請求項３】
背もたれ角度の変更が可能な座席の背面に設置された画像表示パネルと、
前記画像表示パネルの設置された第一の座席の背もたれ角度を検出する第一の角度検出手段と、
前記第一の座席の後方に隣接する第二の座席の背もたれ角度を検出する第二の角度検出手段と、
前記第一の角度検出手段および第二の角度検出手段により検出された座席の背もたれ角度に基づき前記第一の座席に設置された前記画像表示パネルのチルト角を算出するチルト角算出手段と、
前記チルト角算出手段により算出されたチルト角に基づき、前記画像表示パネルのチルト角を制御するチルト制御手段とを備えることを特徴とする画像表示装置。
【請求項４】
前記チルト角算出手段は、前記画像表示パネルが前記座席の標準視認位置と正対するチルト角を算出することを特徴とする請求項１から請求項３のいずれか１項に記載の画像表示装置。
【請求項５】
前記標準視認位置を、複数設定可能に構成することを特徴とする請求項４に記載の画像表示装置。
【請求項６】
前記画像表示パネルを視認する着席者の視認位置を検出する視認位置確認手段をさらに備え、前記チルト角算出手段は、前記視認位置確認手段の出力情報に基づき前記画像表示パネルが前記着席者と正対するチルト角を算出することを特徴とする請求項１から請求項３のいずれか１項に記載の画像表示装置。
【発明の詳細な説明】
【技術分野】
【０００１】
本発明は、航空機、列車等の背もたれ角度の変更が可能な座席を複数有する大型移動装置において、各座席で視聴する画像表示パネルのチルト角を自動的に調整する座席用の画像表示装置に関するものである。
【背景技術】
【０００２】
航空機や列車等の座席に設置された画像表示装置では、画像表示パネルのチルト調整は、従来手動で行うのが一般的であり、視聴する人間が手でチルト角の調整を行う。
【０００３】
例えば、図５（ａ）に示すように、視聴者が着席する座席のリクライニングを起こした状態で、画像表示装置を設置した前の座席がリクライニング４２１を倒した場合、視聴者はチルト回転軸４２４を支点にして画像表示パネル４２５を視聴者側に引き寄せ、チルト角θＴを大きくし、画像表示パネル４２５に対して視認方向が直角に近くなるように調整する。また、図５（ｂ）に示すように、前の座席がリクライニング４２１を起こした状態にあるとき、視聴者が座席のリクライニングを倒した場合は、画像表示パネル４２５のチルト角θＴを小さくして、画像表示パネル４２５に対して視認方向が直角に近くなるように調整する。
【０００４】
これに対し、近年、画像表示パネルのチルト角の調整を自動的に行う方法が提案されている（例えば、特許文献１参照）。この開示例では、図６（ａ）に示すように、画像表示パネル５２５のチルト角を調整するためにリンク機構５５０を設けている。視聴者の座席が背もたれを起こした状態で、前の座席の背もたれ５２１が倒されると、画像表示パネル５２５は、リンク機構５５０が動作して背もたれ５２１の傾き角に応じて、画像表示パネル５２５のチルト角が大きくなり、視聴者の視認方向と画像表示パネル５２５との角度が自動的に補正される。
【特許文献１】実開平２−１０５７５２号公報
【発明の開示】
【発明が解決しようとする課題】
【０００５】
しかしながら、手動により画像表示パネルのチルト角を調整する従来の方法は、視聴者の座席の背もたれを深く倒した状態では、ほとんどの場合、視聴者は起き上がらなければ、前の座席の画像表示パネルに手が届かない。このため、視聴者が画像表示パネルのチルト調整を行う場合、起き上がりとチルト調整を数回繰り返し、最適な角度に調整する必要があり、前の座席の人間がリクライニング角度を変えるたびに、チルト角を再調整をしなければならない。また、自分の座席のリクライニング角度を変える場合もこの状況は全く同様である。このように、座席のリクライニング角度の調整は利用者にとって繁雑な作業となり大きな負担となる。
【０００６】
また、座席に設けた機構により画像表示パネルのチルト角を簡易的に補正する従来の方法は、様々な利用者による視聴条件に対して補正の範囲が限られる他、角度調整の精度の点でも課題が残る。特に、視聴者が座席の背もたれを傾けていない場合は画像表示パネルの視認性は良好であるが、図６（ｂ）に示すように、前の座席の背もたれが傾けられた状態で、視聴者の座席の背もたれを傾けると、視認方向と画像表示パネルの表示方向との差異が大きくなり、視認の条件が低下する。
【０００７】
本発明は、上記課題を解決するためになされたものであり、利用者が自分の座席と前の座席のリクライニングの状態にかかわりなく、画像表示パネルを常時適正な角度で視認できる高品質の座席用の画像表示装置を提供することを目的とする。
【課題を解決するための手段】
【０００８】
上述したような目的を達成するために、本発明の画像表示装置は、少なくとも前後方向に配列された背もたれ角度の変更が可能な複数の座席と、座席の背面に設置された画像表示パネルと、座席の背もたれ角度を検出する角度検出手段と、前後方向に隣接する２つの座席に係る角度検出手段の出力情報に基づき画像表示パネルのチルト角を算出するチルト角算出手段と、チルト角算出手段の出力情報に基づき、画像表示パネルのチルト角を制御するチルト制御手段とを備えたことを特徴とする。
【０００９】
このような構成により、前後方向に隣接する２つの座席の背もたれの角度を検出し、検出した情報に基づき、画像表示パネルのチルト角を算出し、算出情報に基づき、画像表示パネルのチルト角を制御することが可能となる。したがって、画像表示装置の利用者は自分の座席と前の座席のリクライニングの状態にかかわりなく、画像表示パネルを適正な角度で視認することができる。これにより、ヒューマンインタフェースの良好な高品質の座席用画像表示装置を提供することができる。
【００１０】
また、本発明の画像表示装置は、角度検出手段、チルト角算出手段およびチルト制御手段の少なくともいずれかに係る機能の一部または全部を、複数の画像表示パネルに対応可能に構成する。
【００１１】
このような構成により、画像表示装置を構成する要素の一部または全部を複数の画像表示パネルで共通的に使用することが可能となる。したがって、画像表示装置の画像表示パネルのチルト角調整に係る構成要素を統合化し、集中管理することができる。これにより、部品点数が少なく、均一で高品質な画像表示装置を提供することができる。
【００１２】
また、本発明の画像表示装置は、背もたれ角度の変更が可能な座席の背面に設置された画像表示パネルと、画像表示パネルの設置された第一の座席の背もたれ角度を検出する第一の角度検出手段と、第一の座席の後方に隣接する第二の座席の背もたれ角度を検出する第二の角度検出手段と、第一および第二の角度検出手段により検出された座席の背もたれ角度に基づき第一の座席に設置された画像表示パネルのチルト角を算出するチルト角算出手段と、チルト角算出手段により算出されたチルト角に基づき、画像表示パネルのチルト角を制御するチルト制御手段とを備える。
【００１３】
このような構成により、角度検出手段、チルト角算出手段およびチルト制御手段を各座席に設置することが可能となる。したがって、画像表示パネルのチルト角を制御する機能を各座席に分散し、各座席毎にユニット化することができる。これにより、画像表示装置の設置およびトラブル対応等において、ユニット方式の効果を発揮することができる。
【００１４】
また、本発明の画像表示装置では、チルト角算出手段は、画像表示パネルが座席の標準視認位置と正対するチルト角を算出する。このような構成により、利用者の標準視認位置を設定し、画像表示パネルのチルト角を標準視認位置と正対する角度に調整することが可能となる。したがって、利用者の視認位置を考慮した最適なチルト角を提供する画像表示装置を実現することができる。
【００１５】
また、本発明の画像表示装置は、標準視認位置を、複数設定可能に構成する。このような構成により、多様な利用者に対して標準視認位置を複数設定し、画像表示パネルのチルト角を各標準視認位置と正対する角度に調整することが可能となる。したがって、層別化された多様な利用者に対して、利用者の視認位置を考慮した最適なチルト角を提供する画像表示装置を実現することができる。
【００１６】
また、本発明の画像表示装置は、画像表示パネルを視認する着席者の視認位置を検出する視認位置確認手段をさらに備え、チルト角算出手段は、視認位置確認手段の出力情報に基づき画像表示パネルが着席者と正対するチルト角を算出する。このような構成により、画像表示パネルを視認する着席者の視認位置を検出し、画像表示パネルのチルト角を着席者の視認位置と正対する角度に調整することが可能となる。したがって、多様な使用者が、個人別に最適なチルト角に調整された画像表示パネルにより視認することができる画像表示装置を実現することができる。
【発明の効果】
【００１７】
本発明の画像表示装置によれば、前後方向に隣接する各座席のリクライニング角度が変化しても、画像表示装置のチルト角を、利用者の視認しやすい角度に自動的に調整することができる。したがって、利用者は自分の座席と前の座席のリクライニングの状態にかかわりなく、画像表示パネルを適正な角度で視認し、画像表示装置を利用することができる。
【発明を実施するための最良の形態】
【００１８】
以下、本発明の実施の形態について、図１〜４を用いて説明する。
【００１９】
（実施の形態）
図１は、本発明の実施の形態における画像表示装置を備えた座席列の主要構成図であり、画像表示装置１００（図２）が設置された座席群のうち、任意の隣接する２つの座席列１の構成要素を示す基本構成図である。
【００２０】
床面Ｇに少なくとも前後方向に配列された複数の座席のうち、前からｎ番目の座席ユニット２（以下、座席２と略記する。その他の座席についても同様とする）は、腰掛け部２０、背もたれ２１、肘掛部２２および脚部２３を備え、背もたれ２１はリクライニング回転軸２６を中心として背もたれ角度の変更が可能に構成されている。また、座席２には、背もたれ２１の背面に画像表示パネル２５がチルト回転軸２４を中心としてチルト角可変に設置され、画像情報送出装置（図２）から送信される信号により画像を表示することができる。さらに、チルト回転軸２４には、画像表示パネル２５のチルト角を制御するチルト制御装置２７が係合して配設され、リクライニング回転軸２６には、背もたれ２１の傾き角度を検出するリクライニング角度検出装置２８が付加されている。チルト制御装置２７は歯車および駆動用ステッピングモーター等を備え、リクライニング角度検出装置２８は、例えば、角度センサーなどにより背もたれ２１の傾き角度の検出を行う。また、腰掛け部２０の下にはチルト角算出装置２９が取り付けられており、このチルト角算出装置２９の算出結果に基づいてチルト制御装置２７が画像表示パネル２５のチルト角を制御する。
【００２１】
なお、前後方向に座席２と隣接する前からｎ＋１番目の座席３も座席２と同様の構成とし、腰掛け部３０、背もたれ３１、肘掛部３２、脚部３３、チルト回転軸３４、画像表示パネル３５、リクライニング回転軸３６、チルト制御装置３７、リクライニング角度検出装置３８、チルト角算出装置３９を備えている。他の座席群も同様の構成要素を備えている。
【００２２】
なお、画像表示パネル２５および３５には、液晶パネルの他、有機ＥＬパネル、電子ペーパー等の薄型の表示装置を用いることができる。また、上記のチルト角算出装置２９，３９の位置は腰掛け部２０の下に限定されるものではなく、他の場所でも構わない。画像表示パネル２５，３５の中に内蔵することも可能である。こうすることによりスペースを節約できるとともに配線を少なくすることができる。
【００２３】
つぎに、本実施の形態における画像表示装置１００の構成および機能について、図２を用いて説明する。
【００２４】
図２は、本発明の実施の形態における画像表示装置１００の主要構成を示す回路ブロック図である。例えば、図１に示す、床面Ｇに少なくとも前後方向に配列して設置された座席群のうち、前からｎ番目およびｎ＋１番目にある隣接する２つの座席ユニット（ｎ）および座席ユニット（ｎ＋１）を事例として、画像表示装置１００の構成例を示している。
【００２５】
画像表示装置１００は、座席ユニット２００、３００、中継装置４０１、４０２、画像情報送出装置５００を備え、座席ユニット２００および３００は、それぞれ中継装置４０１および４０２を介して画像情報送出装置５００に接続されている。また、座席ユニット２００および３００は、画像表示パネル２２０、３２０、チルト制御装置２３０、３３０、リクライニング角度検出装置２４０、３４０、チルト角算出装置２５０、３５０を、それぞれ備えている。
【００２６】
以下、座席ユニット２００を事例として、画像表示装置１００に係る構成および機能について、説明する。座席ユニット３００についても、全く同様である。
【００２７】
リクライニング角度検出装置２４０は、角度センサー２４１および出力部２４２を備え、角度センサーは角度に応じた出力電圧を出力し、座席２の背もたれ２１（図１）のリクライニング角度を検出することができる。検出した角度情報を、増幅器を備えた出力部２４２からチルト角算出装置２５０に送信する。
【００２８】
チルト角算出装置２５０は、入力部２５１、算出部２５２、出力部２５３および記憶部２５４を備え、座席ユニット２００に配設された第１の検出手段としてのリクライニング角度検出装置２４０に加えて座席ユニット３００（前後方向の後隣りの座席ユニット）に配設された第２の検出手段としてのリクライニング角度検出装置３４０の出力情報を入力部２５１において受信し、入力部２５１ではＡ／Ｄコンバーターにより受信した電圧データをデジタルデータに変換して、算出部２５２に送信する。算出部２５２はＣＰＵ（Ｃｅｎｔｒａｌ  Ｐｒｏｃｅｓｓｉｎｇ  Ｕｎｉｔ）などを備え、入力部２５１から受信した座席２および３の背もたれ２１および３１（図１）のリクライニング角度に係る情報に基づき、ＲＯＭ（Ｒｅａｄ  Ｏｎｌｙ  Ｍｅｍｏｒｙ）などを備えた記憶部２５４に保存されたチルト角の算出式や算出に係る付帯情報を使用して、座席３に着席した利用者が視認しやすい角度を算出し、画像表示パネル２２０の適正なチルト角の設定を行う。算出した情報は出力部２５３に送信され、出力部２５３ではＤ／Ａコンバーターによりデジタルデータをアナログ電圧へ変換し、チルト制御情報としてチルト角に応じたステッピングモーター制御信号を出力し、チルト制御装置２３０に送信する。
【００２９】
チルト制御装置２３０は、例えば、駆動用ステッピングモーターとステッピングモーター制御回路を備え、直接または歯車等を介して、画像表示パネル２２０のチルト角を制御することができる。チルト角の制御は、チルト角算出装置２５０の出力部２５３の出力情報に基づいて行う。
【００３０】
つぎに、本実施の形態の画像表示装置１００の動作の手順について、図１において座席３の着席者が画像表示装置１００を利用する場合の事例により、説明する。図３は、本発明の実施の形態における画像表示装置１００の動作の手順を示すフローチャートである。
【００３１】
図３に示すように、まず、利用者が座席３に着席したことを自動検知する方法や、利用者が画像表示パネル２５に設けられた電源ボタンを押すなどの操作により、画像表示装置１００が動作を開始する（ステップＳ１）。
【００３２】
座席３に着席した利用者は、画像表示装置１００の初期設定を行う（ステップＳ２）。初期設定の項目としては、例えば、座席２に設置された画像表示パネル２５を見やすい方向に調整する。画像表示装置１００は、画像表示パネル２５のチルト機構（図示せず）を手動でも操作できる構成としており、初期設定は手動により調整を行う。なお、画像表示パネル２５のチルト角の調整は、画像表示パネル２５に設けられた角度調整スイッチ（図示せず）などを操作して行う方法であってもよい。
【００３３】
利用者による初期設定が終了すると、リクライニング角度検出装置２４０が、座席２のリクライニング角度の変化を検知し、検出結果を座席２のチルト角算出装置２５０に送信する（ステップＳ３）。
【００３４】
リクライニング角度検出装置３４０が、座席３のリクライニング角度の変化を検知し、検出結果を座席２のチルト角算出装置２５０に送信する（ステップＳ４）。
【００３５】
つぎに、座席２のチルト角算出装置２５０が、リクライニング角度検出装置２４０および３４０から受信した情報に基づき、画像表示パネル２５のチルト角を算出し、チルト制御装置２３０に算出結果を送信する（ステップＳ５）。
【００３６】
座席２のチルト制御装置２３０が、チルト角算出装置２５０から受信した情報に基づき、画像表示パネル２５のチルト角を調整する（ステップＳ６）。
【００３７】
座席２および３において、リクライニング角度が変化すると、リクライニング角度検出装置２４０および３４０の少なくともいずれかが変化を検知し、ステップＳ３またはステップＳ４以降の動作を繰り返す（ステップＳ７）。
【００３８】
座席２および３において、リクライニング角度の変化がない場合は、画像表示パネル２５のチルト角は一定に維持される。最後に利用者が画像表示パネル２５に設けられた終了ボタンを押すなどの操作を確認し（ステップＳ８）、終了ボタンが押されなければステップＳ７に戻る。一方、ステップＳ８で終了ボタンが押されると画像表示装置の動作を終了する（ステップＳ９）。
【００３９】
つぎに、本発明の実施の形態における画像表示装置１００における画像表示パネルのチルト角の算出方法等について、図４を用いて説明する。
【００４０】
図４は、本発明の実施の形態における画像表示装置の機能を示す動作説明図であり、画像表示装置１００（図２）が設置された座席群のうち、図１に示す任意の隣接する２つの座席列１において、チルト角計算のための補助線ａ〜ｇを付加した説明図である。
【００４１】
座席３に利用者が着席し、前隣りの座席２に設置された画像表示パネル２５を視聴する場合の画像表示パネル２５のチルト角θｔ２を算出する。
【００４２】
画像表示パネル２５のチルト角θｔ２は、座席２の背もたれ方向に引いた直線ｆと表示画面方向に引いた直線ｃの交わる角度であり、座席３のリクライニング角度θｌ３は、床面Ｇと平行な直線ｇと座席３の背もたれ方向に引いた直線ｂとの交わる角度である。また、座席２のリクライニング角度θｌ２は、直線ｇと座席２の背もたれ方向に引いた直線ｆとの交わる角度である。
【００４３】
座席３に着席した利用者の画像表示パネル２５に対する視線方向ｅに対して直交する直線ｄと背もたれ方向に引いた直線ｂが交わる角度をθｈ３とすると、利用者の身長や着席時の姿勢により、角度θｈ３が変化するが、一般的に、画像表示パネル２５に対して直角方向の視野が最も見やすく、本発明の実施の形態においては、利用者の視野方向が画像表示パネル２５の表示画面に対し常に直角になる（正対する）ように設定する。したがって、直線ｃと直線ｅは常に直交する。
【００４４】
また、直線ｇと直線ｆとの交点となるリクライニング回転軸２６に、直線ｂと平行な直線ａを引き、直線ａと直線ｃとの交点Ｐとチルト回転軸２４とリクライニング回転軸２６により、作られる三角形の内角と外角の関係より、画像表示パネル２５のチルト角θｔ２は、
θｔ２＝θｌ２−θｌ３＋θｈ３  ――――（算出式１）
の算出式により求めることができる。
【００４５】
なお、座席２における画像表示パネル２５のチルト角の算出式１は、チルト角算出装置２５０の記憶部２５４（図２）に保存される。他の座席についても同様である。
【００４６】
さらに、本発明の実施の形態では、画像表示パネル２５のチルト角の初期設定において、利用者の標準視認位置として、利用者の身長や姿勢によって決まる視認しやすい角度θｈ３が、予め、複数設定されていて、利用者は設定値から選択できる他、好みによりチルト角の変化量も設定値から選択することができる。角度θｈ３の設定については、例えば、利用者の眼の高さとリクライニング角度を層別化して組み合わせるなどの方法により行われ、利用者の初期設定にかかわる情報は、チルト角算出装置２５０の記憶部２５４のレジスタ（図示せず）に格納される。
【００４７】
表１に角度θｈ３の設定例を示す。例えば、視聴者のリクライニング角度を深い／浅いの２段階とし、利用者の眼の高さを大人／子供の２段階に層別化して、合計４段階の値とし、例えば、Ａｈ１、Ａｈ２、Ａｈ３、Ａｈ４などの角度を予め設定しておく。
【００４８】
【表１】
2008279155.tif 000003
【００４９】
座席３に着席した利用者は、前隣りの座席２に設置された画像表示パネル２５に設けられた初期設定スイッチ（図示せず）により、それぞれの項目について選択し、角度センサーより出力される角度データの設定を行う。
【００５０】
表１に示す事例で、リクライニング角度を浅い／深いの２段階に層別化した場合は、リクライニング角度の分岐点をθｔｈとすると、画像表示パネル２５のチルト角θｔ２は、
大人を選択し、θｌ３＜θｔｈのとき、  θｔ２＝θｌ２−θｌ３＋Ａｈ１
小人を選択し、θｌ３＜θｔｈのとき、  θｔ２＝θｌ２−θｌ３＋Ａｈ２
大人を選択し、θｌ３≧θｔｈのとき、  θｔ２＝θｌ２−θｌ３＋Ａｈ３
小人を選択し、θｌ３≧θｔｈのとき、  θｔ２＝θｌ２−θｌ３＋Ａｈ４
となる。
【００５１】
以上の通り、本発明の実施の形態における画像表示装置によれば、少なくとも前後方向に配列された複数の座席に設置された画像表示パネルにより画像表示のサービスを行い、画像表示パネルは各座席に着席する多様な利用者に対して、利用者の視認条件を考慮した最適なチルト角を常時維持することができる。特に、自分が着席する座席の背もたれのリクライニング角度と、前隣りの座席の背もたれのリクライニング角度から、画像表示パネル２５を視認に最適なチルト角に調整することができ、自分と前隣りの座席のリクライニングの状態にかかわりなく、常時、快適に画像表示サービスを視聴することができる。
【００５２】
なお、本発明の実施の形態における画像表示装置１００は、図２に示すように、座席２には、リクライニング角度検出装置２４０、チルト角算出装置２５０およびチルト制御装置２３０をすべて備えているが、リクライニング角度検出装置２４０、チルト角算出装置２５０およびチルト制御装置２３０の少なくともいずれかに係る機能の一部または全部を、複数の画像表示パネルに対応可能に構成することができる。例えば、チルト角算出装置２５０の全部の機能とリクライニング角度検出装置２４０およびチルト制御装置２３０の機能の一部を画像情報送出装置５００と一体化して構成することによっても、本発明の実施の形態と同様の効果を発揮することができる。このような構成によれば、画像表示装置１００を構成する要素の一部または全部の機能を複数の画像表示パネルで共通的に使用することが可能となり、画像表示装置１００の画像表示パネルのチルト角調整に係る構成要素を統合化し、集中管理することができる。これにより、部品点数が少なく、均一で高品質な画像表示装置を提供することができる。
【００５３】
また、本発明の実施の形態の画像表示装置１００は、例えば、撮像センサーなど、座席３において画像表示パネル２５を視認する着席者の視認位置を検出する視認位置確認手段をさらに備えることにより、チルト角算出装置２５０は、視認位置確認手段の出力情報に基づき、画像表示パネル２５が着席者と正対するチルト角を算出することができる。このような構成により、画像表示パネルを視認する着席者の視認位置を検出し、画像表示パネルのチルト角を着席者の視認位置と正対する角度に調整することが可能となり、多様な使用者が、個人別に最適なチルト角に調整された画像表示パネル２５を視認することができる画像表示装置を実現することができる。
【産業上の利用可能性】
【００５４】
以上のように、本発明による画像表示装置は、利用者に対して良好なヒューマンインタフェースを提供することができ、航空機や列車等、少なくとも前後方向に配列された多数の座席に設置する場合に利用可能である。
【図面の簡単な説明】
【００５５】
【図１】本発明の実施の形態における画像表示装置を備えた座席列の主要構成図
【図２】同装置の主要構成を示す回路ブロック図
【図３】同装置の動作の手順を示すフローチャート
【図４】同装置の機能を示す動作説明図
【図５】従来の画像表示装置を備えた座席列の主要構成図
【図６】従来の画像表示装置を備えた座席列の主要構成図
【符号の説明】
【００５６】
１    座席列
２，３    座席
２０，３０    腰掛け部
２１，３１    背もたれ
２２，３２    肘掛部
２３，３３    脚部
２４，３４    チルト回転軸
２５，３５，２２０，３２０    画像表示パネル
２６，３６    リクライニング回転軸
２７，３７，２３０，３３０    チルト制御装置
２８，３８，２４０，３４０    リクライニング角度検出装置
２９，３９，２５０，３５０    チルト角算出装置
１００    画像表示装置
２００，３００    座席ユニット
２４１，３４１    角度センサー
２４２，２５３，３４２，３５３    出力部
２５１，３５１    入力部
２５２，３５２    算出部
２５４，３５４    記憶部
４０１，４０２    中継装置
５００    画像情報送出装置
【図１】
2008279155.tif 000004
【図２】
2008279155.tif 000005
【図３】
2008279155.tif 000006
【図４】
2008279155.tif 000007
【図５】
2008279155.tif 000008
【図６】
2008279155.tif 000009